【手続補正書】
【提出日】平成24年7月12日(2012.7.12)
【手続補正１】
【補正対象書類名】特許請求の範囲
【補正対象項目名】全文
【補正方法】変更
【補正の内容】
【特許請求の範囲】
【請求項１】
電子スライドプレゼンテーションのスライドを編成する方法であって、
コンピュータデバイスが、コンピュータ可読記憶媒体に記憶された、前記電子スライドプレゼンテーションのためのプレゼンテーションファイルにアクセスするステップであって、前記プレゼンテーションファイルは、
前記電子スライドプレゼンテーションの第１のセクションにおけるスライドを識別する第１のセットのセクションデータであって、ユーザが前記第１のセクションに関する動作を実行する権利を有することを特定する第１のセットのアクセス制御データを含む第１のセットのセクションデータと、
前記電子スライドプレゼンテーションの第２のセクションにおけるスライドを識別する第２のセットのセクションデータであって、前記ユーザが前記第２のセクションに関する動作を実行する権利を有さないことを特定する第２のセットのアクセス制御データを含む第２のセットのセクションデータとを含むステップと、
前記コンピュータデバイスが、前記第１のセクションに関する前記動作を実行する要求を前記ユーザから受信するステップと、
前記第１のセクションに関する前記動作を実行する前記要求を前記ユーザから受信することに応答して、
前記コンピュータデバイスによって、前記第１のセットのアクセス制御データが、前記ユーザが前記第１のセクションに関する動作を実行する前記権利を有することを特定するかどうかを判定するステップと、
前記ユーザが前記第１のセクションに関する前記動作を実行する前記権利を有すると判定した後に、前記コンピュータデバイスによって、前記第１のセクションに関する前記動作を実行するステップと、
前記コンピュータデバイスが、前記第２のセクションに関する前記動作を実行する要求を前記ユーザから受信するステップと、
前記第２のセクションに関する前記動作を実行する前記要求を前記ユーザから受信することに応答して、
前記コンピュータデバイスによって、前記第２のセットのアクセス制御データが、前記ユーザが前記第２のセクションに関する前記動作を実行する前記権利を有さないことを特定するかどうかを判定するステップと、
前記ユーザが前記第２のセクションに関する前記動作を実行する前記権利を有さないと判定した後に、前記コンピュータデバイスによって、前記第２のセクションに関する前記動作を実行する前記要求を否定するステップと
を含むことを特徴とする方法。
【請求項２】
前記プレゼンテーションファイルは、前記電子スライドプレゼンテーションの第３のセクションを定義し、スライドを含まない、第３のセットのセクションデータを含むことを特徴とする請求項１に記載の方法。
【請求項３】
前記コンピュータデバイスがセクション選択入力を受信するステップであって、前記セクション選択入力は、グラフィックインターフェイスに含まれる前記第２のセクションのタイトルを選択することによって、出力デバイスが前記第２のセクションにおける連続的な第１のスライドを表示することを前記ユーザが希望していることを示すステップと、
前記セクション選択入力を受信することに応答して、前記コンピュータデバイスがグラフィックインターフェイスを更新するステップであって、前記グラフィックインターフェイスが前記第２のセクションにおいて前記連続する第１のスライドの画像を含むようにするステップと、
前記コンピュータデバイスが、前記出力デバイスに前記更新されたグラフィックインターフェイスを表示するステップと
をさらに含むことを特徴とする請求項１に記載の方法。
【請求項４】
前記コンピュータデバイスがセクション隠蔽入力を受信するステップであって、前記セクション隠蔽入力は、前記ユーザが前記第１のセクションにおける前記スライドの前記サムネイル画像を隠したいと希望することを示すステップと、
前記セクション隠蔽入力を受信することに応答して、前記コンピュータデバイスがグラフィックインターフェイスを更新するステップであって、前記グラフィックインターフェイスが前記第１のセクションにおける前記スライドの前記サムネイル画像を含まないようにするステップと、
前記コンピュータデバイスが、前記出力デバイスに前記更新されたグラフィックインターフェイスを表示するステップと
をさらに含むことを特徴とする請求項１に記載の方法。
【請求項５】
前記第１のセットのセクションデータは、前記電子スライドプレゼンテーションの前記第１のセクションにおけるスライドを識別し、前記電子スライドプレゼンテーションの前記第１のセクションのタイトルを識別することを特徴とする請求項１に記載の方法。
【請求項６】
前記コンピュータデバイスがセクション選択入力を受信するステップであって、前記セクション選択入力は、前記ユーザがグラフィックインターフェイス上の前記第１のセクションの前記タイトルを選択することによって前記第１のセクションを選択したことを示すステップと、
前記セクション選択入力を受信することに応答して、前記コンピュータデバイスが前記グラフィックインターフェイスを更新するステップであって、前記第１のセクションにおける前記スライドのサムネイル画像が前記第２のセクションにおける前記スライドのサムネイル画像とは視覚的に区別されるようにするステップと、
前記コンピュータデバイスが、出力デバイスに前記更新されたグラフィックインターフェイスを表示するステップと
をさらに含むことを特徴とする請求項５に記載の方法。
【請求項７】
前記更新されたグラフィックインターフェイスを表示した後に、前記コンピュータデバイスにおいてコピーコマンド入力を受信するステップと、
前記コピーコマンド入力を受信した後に、前記コンピュータデバイスにおいて、ペーストコマンド入力を受信するステップと、
前記ペーストコマンド入力を受信することに応答して、前記第１のセットのプレゼンテーションデータを前記ペーストコマンド入力によって示された場所へコピーするステップと
をさらに含むことを特徴とする請求項６に記載の方法。
【請求項８】
前記ペーストコマンド入力によって示された前記場所は、第２の電子プレゼンテーション内にあることを特徴とする請求項７に記載の方法。
【請求項９】
前記プレゼンテーションファイルは、第１のプレゼンテーションファイルであり、
前記第１のセットのセクションデータは、第２のプレゼンテーションファイルに含まれた第３のセットのセクションデータへのリンクを特定することによって、前記第１のセクションにおける前記スライド、及び前記第１のセクションの前記タイトルを識別し、前記第３のセットのセクションデータは、前記第１のセクションにおける前記スライドを直接的に表すデータを含み、前記第１のセクションの前記タイトルを直接的に表すデータを含むことを特徴とする請求項５に記載の方法。
【請求項１０】
前記動作は、スライドを表示すること及びスライドを編集することから成る一群の動作から選択されることを特徴とする請求項１に記載の方法。
【請求項１１】
前記ユーザは第１のユーザであり、
前記コンピュータデバイスは第１のコンピュータデバイスであり、
前記方法は、
前記第２のコンピュータデバイスのユーザが前記第２のセクションにおけるスライドを編集していると同時に、前記第１のコンピュータデバイスが、前記第１のユーザが前記第１のセクションにおけるスライドを編集することができるようにするステップをさらに含むことを特徴とする請求項１に記載の方法。
【請求項１２】
前記コンピュータデバイスが、前記第１のセクションを選択されたセクションとして示すセクション選択入力を受信するステップと、
印刷デバイスが、前記選択されたセクションに関連付けられた前記スライドを印刷するステップと
をさらに含むことを特徴とする請求項１に記載の方法。
【請求項１３】
前記第１のセットのセクションデータは、前記第１のセクションのプロパティを含み、前記プロパティの値は、前記電子スライドプレゼンテーションを提示中に、前記第１のセクションにおける前記スライドが提示されるかどうかを特定し、前記プロパティの前記値は、前記ユーザによって定義され、
前記方法は、
前記コンピュータデバイスが、前記ユーザが前記電子スライドプレゼンテーションを提示したいと希望することを示す入力を受信するステップと、
前記入力を受信した後に、前記プロパティの前記値を使用して、前記第１のセクションの前記スライドを表示するかどうかを判定するステップと、
前記プロパティの前記値が、前記第１のセクションにおける前記スライドが前記電子スライドプレゼンテーションの前記提示において表示されることを示すと判定された後に、前記コンピュータデバイスが、前記第１のセクションにおける前記スライドを含むプレゼンテーショングラフィックインターフェイスを作成するステップと、
前記コンピュータデバイスが、出力デバイスに前記プレゼンテーショングラフィックインターフェイスを表示するステップと
をさらに含むことを特徴とする請求項１に記載の方法。
【請求項１４】
前記第１のセクションが前記第２のセクションの子セクションであることを特徴とする請求項１に記載の方法。
【請求項１５】
コンピューターデバイスであって、
コンピュータ実行可能命令を実行することが可能な処理ユニットと、
出力デバイスと、
プレゼンテーションファイル及び前記コンピュータ実行可能命令を記憶した記憶媒体と
を含み、
前記プレゼンテーションファイルは、
電子スライドプレゼンテーションの第１のセクションにおけるスライドを識別する第１のセットセクションデータであって、ユーザが前記第１のセクションに関する動作を実行する権利を有することを特定する第１のセットのアクセス制御データを含む第１のセットセクションデータと、
前記電子スライドプレゼンテーションの第２のセクションにおけるスライドを識別する第２のセットのセクションデータであって、前記ユーザが前記第２のセクションに関する動作を実行する権利を有さないことを特定する第２のセットのアクセス制御データを含む第２のセットのセクションデータとを含み、
前記コンピュータ実行可能命令が前記処理ユニットによって実行されると、
前記コンピュータデバイスが、前記第１のセクションに関する前記動作を実行する要求を前記ユーザから受信するステップと、
前記第１のセクションに関する前記動作を実行する前記要求を前記ユーザから受信することに応答して、
前記コンピュータデバイスによって、前記第１のセットのアクセス制御データが、前記ユーザが前記第１のセクションに関する前記動作を実行する前記権利を有することを特定するかどうかを判定するステップと、
前記ユーザが前記第１のセクションに関する前記動作を実行する前記権利を有すると判定した後に、前記第１のセクションに関する前記動作を実行するステップと、
前記コンピュータデバイスが、前記第２のセクションに関する前記動作を実行する要求を前記ユーザから受信するステップと、
前記第２のセクションに関する前記動作を実行する前記要求を前記ユーザから受信することに応答して、
前記コンピュータデバイスによって、前記第２のセットのアクセス制御データが、前記ユーザが前記第２のセクションに関する前記動作を実行する前記権利を有さないことを特定するかどうかを判定するステップと、
前記ユーザが前記第２のセクションに関する前記動作を実行する前記権利を有さないと判定した後に、前記コンピュータデバイスによって、前記第２のセクションに関する前記動作を実行する前記要求を否定するステップと
を含む方法を実行することを特徴とするコンピュータデバイス。
【請求項１６】
前記ユーザは、第１のユーザであり、
前記コンピュータデバイスは、第１のコンピュータデバイスであり、
前記方法は、
第２のコンピュータデバイスのユーザが前記第２のセクションにおけるスライド編集していると同時に、前記第１のコンピュータデバイスが、前記第１のユーザが前記第１のセクションにおけるスライドを編集することができるようにするステップをさらに含むことを特徴とする請求項１５に記載のコンピュータデバイス。
【請求項１７】
前記第１のセクションが前記第２のセクションの子セクションであることを特徴とする請求項１５に記載のコンピュータデバイス。
【請求項１８】
前記第１のセットのセクションデータは、前記電子スライドプレゼンテーションの前記第１のセクションにおけるスライドを識別し、前記電子スライドプレゼンテーションの前記第１のセクションのタイトルを識別することを特徴とする請求項１５に記載のコンピュータデバイス。
【請求項１９】
コンピュータ実行可能命令を記憶したコンピュータ可読記憶媒体であって、コンピュータデバイスの処理装置によって前記コンピュータ実行可能命令が実行されると、
前記コンピュータデバイスが、前記コンピュータ可読記憶媒体に記憶された、電子スライドプレゼンテーションのためのプレゼンテーションファイルにアクセスするステップであって、前記プレゼンテーションファイルは、
前記電子スライドプレゼンテーションの第１のセクションにおけるスライドを識別する第１のセットのセクションデータであって、ユーザが前記第１のセクションに関する動作を実行する権利を有することを特定する第１のセットのアクセス制御データを含む第１のセットのセクションデータと、
前記電子スライドプレゼンテーションの第２のセクションにおけるスライドを識別する第２のセットのセクションデータであって、前記ユーザが前記第２のセクションに関する動作を実行する権利を有さないことを特定する第２のセットのアクセス制御データを含む第２のセットのセクションデータとを含むステップと、
前記コンピュータデバイスが、前記第１のセクションに関する前記動作を実行する要求を前記ユーザから受信するステップと、
前記第１のセクションに関する前記動作を実行する前記要求を前記ユーザから受信することに応答して、
前記コンピュータデバイスによって、前記第１のセットのアクセス制御データが、前記ユーザが前記第１のセクションに関する前記動作を実行する前記権利を有することを特定するかどうかを判定するステップと、
前記ユーザが前記第１のセクションに関する前記動作を実行する前記権利を有すると判定した後に、前記コンピュータデバイスによって、前記第１のセクションに関する前記動作を実行するステップと、
前記第２のセクションに関する前記動作を実行する要求を前記ユーザから受信するステップと、
前記第２のセクションに関する前記動作を実行する前記要求を前記ユーザから受信することに応答して、
前記コンピュータデバイスによって、前記第２のセットのアクセス制御データが、前記ユーザが前記第２のセクションに関する前記動作を実行する前記権利を有さないことを特定するかどうかを判定するステップと、
前記ユーザが前記第２のセクションに関する前記動作を実行する前記権利を有さないと判定した後に、前記コンピュータデバイスによって、前記第２のセクションに関する前記動作を実行する前記要求を否定するステップと
を含む方法を前記コンピュータデバイスに実行させることを特徴とするコンピュータ可読記憶媒体。
【請求項２０】
前記第１のセクションに関する前記動作は、前記第１のセクションにおける前記スライドの１つを編集することを含み、
前記第２のセクションに関する前記動作は、前記第２のセクションにおける前記スライドの１つを編集することを含む
ことを特徴とする請求項１９に記載のコンピュータ可読記憶媒体。